(57)【特許請求の範囲】
【請求項１】
同じ種類のコインを一列に積載して収納するコイン収納部と、前記コイン収納部の底面部に設けられ積載されたコインを計数表示する計数表示手段とを具備したコインカウンタであって、
前記コインカウンタは、基台と、前記コイン収納部をコインの種類別に配列したコイントレイと、前記コイントレイの幅方向に一対で設けられ、一端を前記基台に回動可能に装着する共に他端をコイントレイに回動可能に装着し、かつ、互いの一端を連結シャフトで連結したアーム部とを備えて、
前記一対のアーム部の少なくとも一方に、前記アーム部の一端を前記基台との回動軸の回りに所定の位置でロックすると共に、他端を前記コイントレイとの回動軸の回りに所定の位置でロックするロック手段を設けたことを特徴とするコインカウンタ。
【請求項２】
前記ロック手段は、前記基台にアーム部の回動軸と同心の第一の円筒部を設けて該第一の円筒部の外周面に回動軸と平行に形成した第一の係止溝と、
前記コイントレイにアーム部の回動軸と同心の第二の円筒部を設けて該第二の円筒部の外周面に回動軸と平行に形成した第二の係止溝と、
前記アーム部に一対で設けられ該アーム部の長手方向に互いに離反するように付勢した係止爪とを具備して、
前記一対の係止爪の一方を前記第一の係止溝に嵌合することにより、前記アーム部の一端の回動動作を係止して前記アーム部を前記基台にロックし、また、前記係止爪の他方を前記第二の係止溝に嵌合することにより、前記アーム部の他端の回動動作を係止して前記アーム部を前記コイントレイにロックすることを特徴とする請求項１に記載のコインカウンタ。
【請求項３】
前記アーム部の一方にロック手段を設けて、かつ、前記アーム部の他方に、前記基台に前記第一の円筒部と同軸で形成された第三の円筒部と、前記コイントレイに前記第二の円筒部と同軸で形成された第四の円筒部との外周面に巻回したベルトを設けたことを特徴とする請求項１または２に記載のコインカウンタ。
【請求項４】
前記基台に紙幣を収納する紙幣収納部を設けたことを特徴とする請求項１ないし３のいづれかに記載のコインカウンタ。
【請求項５】
前記計数表示手段は、表示部をコイン積載方向に沿って３列に区分して、そのうち２列の表示部の各々に、コイン２枚に相当する間隔の目盛り線とコイン３枚に相当する間隔の目盛り線とを交互に設け、かつ、一方の表示部の各目盛り線の上方左側にコイン枚数を表示すると共に上方右側にコイン１枚に相当する太線部を表示して、また、他方の列の表示部の各目盛り線の上方左側にコイン１枚に相当する太線部を表示すると共に上方右側にコイン枚数を表示して、該隣接する表示部をコイン１枚分の段差を有するように並列して形成し、さらに、残りの一列の表示部に所定枚数のコインの間隔毎に太線で表示した目盛り線を形成し、該目盛り線の上方にコイン枚数よりも大きく合計金額を表示することを特徴とする請求項１ないし４のいづれかに記載のコインカウンタ。
【発明の詳細な説明】
【０００１】
【発明の属する技術分野】
本発明は、同種類のコインを一列に積載して収納し、収納されたコインの計数を可能としたコインカウンタに関する。
【０００２】
【従来の技術】
スーパーマーケット、コンビニエンスストア等においては、硬貨（１円硬貨、５円硬貨、１０円硬貨、５０円硬貨、１００円硬貨および５００円硬貨）を取り扱うことが非常に多く、取り扱われる硬貨は、レジスタの硬貨の種類別に設けられた硬貨収納部に無造作に収められており、定期的或は営業終了後に、硬貨を種類別に計数して、該計数結果に基づいて硬貨の総額が集計されていた。また、この種の現場では、図１３に示すように、同種類の硬貨を一列に積載して収納する硬貨収納部５１を硬貨の種類ごとに設けると共に、各々の硬貨収納部５１の底面部に積載された硬貨の計数を表示するための表示部を有するコインカウンタが従来から用いられており、図１４に示すように、表示部５２を硬貨の所定枚数毎に区切り該区切られた領域に階段状の目盛り５３を形成し、各々の目盛り５３に硬貨一枚毎の合計金額を表示したコインカウンタが知られていた。
また、図１５に示すように、種類別の硬貨収納部５１が配列されたコイントレイ５４を立設して設けると共に、該コイントレイ５４に各々の硬貨収納部５１の最下部に位置するそれぞれの硬貨を一枚のみ取り出せるようにしたコインストッパ５５を装備してコインカウンタを構成し、該コインカウンタをレジスタの近傍に載置して、硬貨の集計をするだけでなく、釣り銭が生じた際には、容易に、かつ、迅速に硬貨を取り出せるようにしたコインカウンタが従来から知られていた
。
【０００３】
しかしながら、図１５に示すように、コイントレイ５４を立設したコインカウンタにおいては、コイントレイ５４を寝かせた状態に形成したコインカウンタ（図１３参照）と比較して高さ方向の寸法が大きく、硬貨を収納した状態で金庫にしまうことができず不便であった。また、表示部５２に硬貨１枚毎の合計金額を表示すると、特に、金額の大きくなる５００円硬貨では各々の金額表示が煩雑になり（図１４参照）、合計金額を誤認してしまうことがあった。
【０００４】
【発明が解決しようとする課題】
そこで本発明は、上記事情に鑑みてなされたもので、コイントレイと基台とをそれぞれに回動可能に装着したアーム部で連結することで、コイントレイを立設した状態で保持できると共に、コイントレイと基台とを重ねた状態で保持することができ、また、視認性の高い表示の表示部を有したコインカウンタを提供することを目的とする。
【０００５】
【課題を解決するための手段】
上記目的を達成するために、本発明のうち請求項１に記載の発明は、同じ種類のコインを一列に積載して収納するコイン収納部と、コイン収納部の底面部に設けられ積載されたコインを計数表示する計数表示手段とを具備したコインカウンタであって、コインカウンタは、基台と、コイン収納部をコインの種類別に配列したコイントレイと、コイントレイの幅方向に一対で設けられ、一端を基台に回動可能に装着する共に他端をコイントレイに回動可能に装着し、かつ、互いの一端を連結シャフトで連結したアーム部とを備えて、一対のアーム部の少なくとも一方に、アーム部の一端を基台との回動軸の回りに所定の位置でロックすると共に、他端をコイントレイとの回動軸の回りに所定の位置でロックするロック手段を設けたことを特徴とする。
【０００６】
このように構成することで、ロック手段により、アーム部を基台に対して回動して、所定の位置でロックすることができると共に、コイントレイに対しても回動して所定の位置でロックすることができる。
【０００７】
また、本発明のうち請求項２に記載の発明は、ロック手段は、基台にアーム部の回動軸と同心の第一の円筒部を設けて該第一の円筒部の外周面に回動軸と平行に形成した第一の係止溝と、コイントレイにアーム部の回動軸と同心の第二の円筒部を設けて該第二の円筒部の外周面に回動軸と平行に形成した第二の係止溝と、アーム部に一対で設けられ該アーム部の長手方向に互いに離反するように付勢した係止爪とを具備して、一対の係止爪の一方を第一の係止溝に嵌合することにより、アーム部の一端の回動動作を係止してアーム部を基台にロックし、また、係止爪の他方を第二の係止溝に嵌合することにより、アーム部の他端の回動動作を係止してアーム部をコイントレイにロックすることを特徴とする。
【０００８】
このように構成することで、請求項１に記載の発明において、一方の係止爪を第一の係止溝に嵌合してアーム部の基台に対する回動動作をロックすることができると共に、他方の係止爪を第二の係止溝に嵌合してアーム部のコイントレイに対する回動動作をロックすることができる。
【０００９】
また、本発明のうち請求項３に記載の発明は、アーム部の一方にロック手段を設けて、かつ、アーム部の他方に、基台に第一の円筒部と同軸で形成された第三の円筒部と、コイントレイに第二の円筒部と同軸で形成された第四の円筒部との外周面に巻回したベルトを設けたとを特徴とする。
【００１０】
このように構成することで、アーム部の一方でアーム部の回動動作をロックして、他方で第三の円筒部と第四の円筒部に巻回したベルトによりアーム部の回動動作を規制することができる。
【００１１】
また、本発明のうち請求項４に記載の発明は、基台に紙幣を収納する紙幣収納部を設けたことを特徴とする。
【００１２】
このように構成することで、コイントレイに硬貨を収納するだけでなく、基台に紙幣を収納することができる。
【００１３】
また、本発明のうち請求項５に記載の発明は、計数表示手段は、表示部をコイン積載方向に沿って３列に区分して、そのうち２列の表示部の各々に、コイン２枚に相当する間隔の目盛り線とコイン３枚に相当する間隔の目盛り線とを交互に設け、かつ、一方の表示部の各目盛り線の上方左側にコイン枚数を表示すると共に上方右側にコイン１枚に相当する太線部を表示して、また、他方の列の表示部の各目盛り線の上方左側にコイン１枚に相当する太線部を表示すると共に上方右側にコイン枚数を表示して、該隣接する表示部をコイン１枚分の段差を有するように並列して形成し、さらに、残りの一列の表示部に所定枚数のコインの間隔毎に太線で表示した目盛り線を形成し、該目盛り線の上方にコイン枚数よりも大きく合計金額を表示することを特徴とする。
【００１４】
このように構成することで、隣接するの表示部の各々に設けられたコイン１枚分に相当する太線部がコイン１枚分の段差を有して並設されるので、視認性の高い表示の表示部を得ることができる。
【００１５】
【発明の実施の形態】
本発明の一実施の形態のコインカウンタを図１ないし図１２に基づいて説明する。まず、本実施の形態のコインカウンタの概略について説明する。本実施の形態のコインカウンタは、図１ないし図３に示すように、基台２とコイントレイ３とをコインカウンタ１の幅方向に一対で設けられ一端が基台２に、また、他端がコイントレイ３にそれぞれ回動可能に接続されたアーム部４で連結して、図５に示すようにアーム部４を基台２とコイントレイ３とに回動して、後述するロック手段でアーム部４の回動動作をロックすることにより、コイントレイ３を立設して保持できる（図１参照）と共に、コイントレイ３と基台２とを重ねることができる（図２参照）構造になっている。また、本実施の形態のコインカウンタ１は、図４に示すように、コイントレイ３に、種類別のコイン収納部１３を配列して、該コイン収納部１３の各々に計数表示手段としての表示部１７を設けて、該表示部１７の表示によりコイン収納部１３に一列に積載されたコインの計数を表示する構造になっている。
【００１６】
次に、基台２の構成を詳細に説明する。基台２は、図１に示すように、上面に紙幣を奥行き方向に２列で収納する紙幣収納部５が形成されており、コイントレイ３を立設した状態で紙幣を出し入れできる構造になっている。また、基台２には、図３に示すように、幅方向に対向して設けられた一対の第一のブラケット６および第二のブラケット７が上方に突出して形成されており、各々のブラケット６および７には、同軸で互いに外側に向けて突出した第一の円筒部６ａおよび第三の円筒部７ａが形成されている。また、第一のブラケット６に形成された第一の円筒部６ａには、図６ないし図８に示すように、後述する一対の係止爪８の一方（８ａ）を嵌合する第一の係止溝９ａおよび９ｂが所定の２箇所に形成されると共に、第二のブラケット７に形成された第三の円筒部７ａには、図９ないし１１に示すように、後述するベルト１０の係合部１０ａ、１０ｂを係合する係合溝１１ａ、１１ｂが所定の２箇所形成されている。なお、図１に示す符号１２は、奥の列に収納された紙幣を保持するための押えバーである。
【００１７】
次に、本実施の形態のコイントレイ３の構成を詳細に説明する。コイントレイ３は、図４に示すように、同種類のコインを１列に積載して収納するコイン収納部１３をコインの種類別（図４中の左側から５００円コイン用１３ａ、１００円コイン用１３ｂ、５０円コイン用１３ｃ、１０円コイン用１３ｄ、５円コイン用１３ｅおよび１円コイン用１３ｆ）に配設して、下方に形成されたコインストッパ１４により、各々のコイン収納部１３の最下部に位置するコインをスライドさせることで取り出せる構造になっている。また、コイントレイ３の側面３ｃには、図４に示すように、同軸で互いに外側に向けて突出した第二の円筒部３ａおよび第四の円筒部３ｂが形成されており、図４中の左側に形成された第二の円筒部３ａには、図６ないし図８に示すように、後述する係止爪８の他方（８ｂ）を嵌合する第二の係止溝９ｃおよび９ｄが所定の２箇所に形成されると共に、図４中の右側に形成された第四の円筒部３ｂには、図９ないし図１１に示すように、後述するベルト１０の係合部１０ｃを係合する係合溝１１ｃが形成されている。
【００１８】
また、図４に示すように、各々のコイン収納部１３の底面部には、積載されたコインを計数する計数表示手段としての表示部１７が設けられており、該表示部１７は、図１２に示すように、コイン収納部１３の底面部をコイン積載方向に沿って３列に区分されている。そして、３列に区分された表示部１７うち２列の表示部１７ａおよび１７ｂの各々に、コイン２枚に相当する間隔の目盛り線１８ａとコイン３枚に相当する間隔の目盛り線１８ｂとを交互に設け、かつ、２列のうち一方の表示部１７ａの各目盛り線１８ａ，１８ｂの上方左側にコイン枚数を表示すると共に上方右側にコイン１枚に相当する太線部１９を表示して、また、他方の列の表示部１７ｂの各目盛り線１８ａ´，１８ｂ´の上方左側にコイン１枚に相当する太線部１９を表示すると共に上方右側にコイン枚数を表示するよう構成されている。さらに、隣接する表示部１７ａおよび１７ｂをコイン１枚分の段差を有するように並列して形成し、残りの一列の表示部１７ｃに所定枚数のコイン例えば、５枚の間隔毎に太線で表示した目盛り線２９を形成すると共に該目盛り線２９の上方にコイン枚数よりも大きく合計金額２０を表示するよう形成されている。
【００１９】
次に、アーム部４の構成を詳細に説明する。アーム部４は、コインカウンタ１の幅方向に一対で設けられており、図４中の左側に位置する左アーム４ａと右側に位置する右アーム４ｂとの各々の一端を基台２に回動可能に装着すると共に他端をコイントレイ３に回動可能に装着して、基台２とコイントレイ３とを連結する構造になっている。また、アーム部４は、図３に示すように、左アーム４ａと右アーム４ｂとが、第一のブラケット６および第二のブラケット７を貫通する連結シャフト２１で連結されている。そして、アーム部４は、左アーム４ａの回動動作をロック手段でロックすると共に、左アーム４ａをロックした位置での右アーム４ｂの回動動作を後述するベルト１０により規制して、コイントレイ３を立設して保持する構造になっている。
【００２０】
次に、左アーム４ａの構成を詳細に説明する。左アーム４ａは、図６ないし図８に示すように、一体で成型された基板２２と、該基板２２にスライド移動自在に設けられ、基板２２の所定の位置に設置されたばね２３により基板２２の長手方向に互いに離反するよう付勢した一対の係止爪８ａおよび８ｂとを備えており、一対の係止爪８ａおよび８ｂを基台２とコイントレイ３とに各々形成された第一の係止溝としての係止溝９ａ、９ｂおよび第二の係止溝としての係止溝９ｃ、９ｄに嵌合して、アーム部４の回動動作をロックする構造になっている。また、基板２２には、図６および図８に示すように、所定の間隔を有して形成した略円筒上の凸部２４ａおよび２４ｂが形成され、一方の凸部２４ａの外周面を第一のブラケット６に形成された第一の円筒部６ａの内周面に摺動自在に嵌合すると共に、他方の凸部２４ｂの外周面をコイントレイ３に形成された第二の円筒部３ａの内周面に摺動自在に嵌合して、基台２およびコイントレイ３に左アーム４ａが装着される構造になっている。また、基板２２には、係止爪８ａおよび８ｂのスライド移動を案内する案内部２５が形成されると共に、係止爪８を基板２２の外側から挿通するための係止溝挿通口３１（図１および図２参照）が設けられている。また、係止爪８ａおよび８ｃを付勢するばね２３は、図６ないし図８に示すように、コイルばねの両端に直線部を設けることで形成されており、コイルの内側部分を基板２２と一体成形された突起部２６に嵌合して、両端の直線部を係止爪８ａおよび８ｂの間に挿入されている。なお、各々の係止爪８ａおよび８ｂにはレバー２７（図１ないし図４参照）が一体成形して設けられており、アーム部４は、基板２２の外側に突出した一対のレバー２７を互いに近接方向に移動して、係止爪８を係止溝９から退避させることにより回動可能となる構造になっている。
【００２１】
次に、右アーム４ｂの構成を詳細に説明する。右アーム４ｂは、図９ないし図１１に示すように、所定の間隔を有して設けられた略円筒状の凸部２８ａおよび２８ｂを基板３０に一体成形することで形成されており、一方の凸部２８ａの外周面を第二のブラケット７に形成された第三の円筒部７ａの内周面に摺動自在に嵌合すると共に、他方の凸部２８ｂの外周面をコイントレイ３に形成された第四の円筒部３ｂの内周面に摺動自在に嵌合して、基台２およびコイントレイ３に装着される構造になっている。また、図９ないし図１１に示すように、第三の円筒部７ａとコイントレイ３に形成された第四の円筒部３ｂとには、ベルト１０の両端部に形成された係合部１０ａおよび１０ｂを第三の円筒部７ａに形成された係合溝１１ａおよび１１ｂに嵌合すると共に、係合部１０ａと係合部１０ｂとの間の所定の位置に設けられた係合部１０ｃを第四の円筒部３ｂに形成された係合溝１１ｃに嵌合するようにして、ベルト１０が巻回されている。また、ベルト１０は、図９ないし図１１に示すように、コイントレイ３を立設させた状態で、ベルト１０の一側を直線状に張るようにして設けられ、コイントレイ３がコインの重みにより図９中のＡ方向に回動しようとする動作、つまり、第四の円筒部３ｂが基板３０に形成された凸部２８ｂに対して図９中のＡ方向に回動しようとするのをベルト１０の張力により規制するよう構成されている。
【００２２】
このような構成において、本実施の形態のコインカウンタ１の作用について説明する。まず、アーム部４および該アーム部４の回動動作をロックするロック手段の作用について説明する。本実施のコインカウンタ１は、図５に示すように、アーム部４を基台２とコイントレイ３とに対して回動することにより、コイン収納部１３を上方に向けてコイントレイ３と基台２とを重ねることができ、この状態におけるアーム部４は、基台２およびコイントレイ３と平行に位置され、左アーム４ａに設けられたロック手段としての一対の係止爪８ａおよび８ｂを各々第一の円筒部６ａに形成された係止溝９ｂおよび第二の円筒部３ａに形成された係止溝９ｄとに嵌合することにより、アーム部４の回動動作をロックしてコイントレイ３と基台２とを重ねた状態を保持している。なお、右アーム４ｂにおいては、図１１に示すように、ベルト１０の一側を撓ませた状態である。
【００２３】
また、コイントレイ３と基台２とを重ねた状態から立設するには、まず、左アーム４ａに設けられた一対のレバー２７を互いに近接するよう押圧することで、一対の係止爪８ａおよび８ｂをスライド移動させ、係止爪８ａおよび８ｂをそれぞれ係止溝９ｂおよび９ｄから退避させることにより、ロック手段のロックを解除する。そして、アーム部４を基台２とコイントレイ３との各々に対して僅かに回動させた後でレバー２７から手を離すと、アーム部４は、図７に示すように、係止爪８ａおよび８ｂの先端を第一の円筒部６ａおよび第二の円筒部３ａのそれぞれの外周面を滑りながら回動する（図５参照）。そして、係止爪８ａと係止溝９ａとが対向することで係止溝８ａが突出して係止溝９ａに嵌合し、アーム部４と基台２との回動動作をロックして、また、係止爪８ｂと係止溝９ｃとが対向することで係止溝８ｂが突出して係止溝９ｃに嵌合し、アーム部４とコイントレイ３との回動動作をロックする。これにより、左アーム４ａの回動動作がロックされ、また、左アーム４ａと右アーム４ｂとは一端が連結シャフト２１で連結されているので、コインカウンタ１は、コイントレイ３を立設して保持することができる。
【００２４】
次に、ベルト１０の作用について説明する。図１１に示すように、ベルト１０は、基台２とコイントレイ３とを重ねた状態において、一側を撓ませると共に他側を緊張させている。そして、ロック手段のロックを解除して、図１０に示すように、アーム部４を図１０中の時計方向へ回動させることにより、該アーム部４の回動動作に伴いベルト１０の他側が第三の円筒部７ａの外周面に巻付いて、コイントレイ３がアーム部４に対して徐々に図１０中の反時計方向に回動される。これにより、コインカウンタ１は、図５および図１０に示すように、コイントレイ３の水平を保ちながら、アーム部４を基台２およびコイントレイ３に対して回動させることができる。また、コインカウンタ１は、図１０に示すように、ベルト１０の他側を緊張させるようにして、コイントレイ３が図１０中の時計方向に回動されるのを規制しコイントレイ３の水平を保つので、コイントレイ３が所定以上に時計方向に回動されることがなく、各々のコイン収納部１３に整列して収納されたコインをコイントレイ３の上方（図１０中の右側）に崩してしまうようなことを防ぐことができる。さらに、コインカウンタ１は、一対の係止爪８ａおよび８ｂをそれぞれ係止溝９ａおよび９ｃに嵌合したコイントレイ３を立設した状態（図６参照）で、図９に示すように、ベルト１０の一側を緊張させて、コイントレイ３の右アーム４ｂに対する回動動作を規制するので、ベルトを設けることにより、アーム部４の一方にロック手段を設けるだけでコイントレイ３を立設して保持することができる。
【００２５】
次に、計数表示手段としての表示部１７の作用について説明する。例えば、図１２（ｂ）に示すように、本実施の形態のコイン収納部１３に３３枚の５００円コインを積載した場合には、最上部に位置するコイン３２の上部左方の表示部１７に設けられた太線部１９により、コイン枚数を表示する数字３３に視線が集中し易く、一見してコイン枚数が３３枚であることが認識できる。また、その合計金額は、電卓等でコイン１枚の金額にコイン枚数を乗じることで簡単に算出することができるので、図１４に示す従来の表示部５２のように、煩雑な数字を読みることがなく、数字を読み過って集計作業に支障をきたすようなことを防止できる。
【００２６】
したがって、本実施の形態のコインカウンタ１は、基台２とコイントレイ３とを重ねた状態から、アーム部４の一方に設けられた一対のレバー２７を互いに近接方向に移動することにより、ロック手段としての係止爪８ａおよび８ｂを係止溝９ｂおよび９ｄから退避させ、アーム部４のロックを解除してアーム部４を基台２およびコイントレイ３に回動することができる。そして、ロック手段としての係止爪８ａおよび８ｂを各々係止溝９ａおよび９ｃに嵌合すると共にアーム部４の他方に設けられたベルト１０の一側を緊張させることにより、コイントレイ３を立設して保持することができる。また、コインカウンタ１は、アーム部４の回動動作に伴いベルト１０の他側が第三の円筒部７ａの外周面に巻付いて、コイントレイ３がアーム部４に対して徐々に回動されるので、コイントレイ３の水平を保ちながら、アーム部４を基台２およびコイントレイ３に対して回動させることができる。さらに、コインカウンタ１は、ベルト１０の他側を緊張させるようにして、コイントレイ３が回動されるのを規制しコイントレイ３の水平を保つので、コイントレイ３が所定以上に回動されて各々のコイン収納部１３に整列して収納されたコインをコイントレイ３の上方に崩してしまうようなことを防止することができる。また、コイントレイ３を立設した状態から、レバー２７操作によりロック手段を解除して、アーム部４を基台２およびコイントレイ３に回動し、ロック手段としての係止爪８ａおよび８ｂを各々係止溝９ｂおよび９ｄに嵌合することで、基台２とコイントレイ３とを重ねることができる。さらに、アーム部４の一方のみにロック手段を設けて、他方はベルトを巻回しただけの簡易な構造でアーム部の回動動作を規制するので、製作コストを低く抑えることができる。また、基台２の上面に紙幣収納部５を形成したので、コイントレイ３にコインを収納できると共に、基台２に紙幣を収納することができる。
【００２７】
また、コインの種類別に配列されたコイン収納部１３の各々に、視認性に優れた計数表示手段としての表示部１７を設けたので、コインを計数した表示を読み間違えるのを防止して、確実な集計作業をすることができ、さらに、見やすい表示で作業者の負担を軽減することができる。
【００２８】
【発明の効果】
本発明のうち請求項１に記載の発明によれば、コイントレイの幅方向に一対のアーム部を設けて、該アーム部の一端を基台に回動可能に装着すると共に他端をコイントレイに回動自在に装着することで基台とコイントレイとを連結し、また、アーム部の少なくとも一方に、基台およびコイントレイの各々に対するアーム部の回動動作をロックするロック手段を設けたので、アーム部を回動してコイントレイを立設し、ロック手段によりアーム部の回動動作をロックすることにより、コイントレイを立設して保持できると共に、アーム部を回動して基台とコイントレイとを重ねて、ロック手段によりアーム部の回動動作をロックすることにより基台に重ねて保持することができる。
【００２９】
また、本発明のうち請求項２に記載の発明によれば、ロック手段は、一対の係止爪の一方を基台に設けられた第一の係止溝に嵌合して、アーム部の基台に対する回動動作をロックすることができ、また、他方をコイントレイに設けられた第二の係止溝に嵌合して、アーム部のコイントレイに対する回動動作をロックすることができ、コイントレイを立設して保持することができると共に、基台とコイントレイとを重ねて保持することができる。
【００３０】
また、本発明のうち請求項３に記載の発明によれば、アーム部の他方に、基台に形成された第三の円筒部と、コイントレイに形成された第四の円筒部とにベルトを巻回して設けて、アーム部の他方の回動動作を規制したので、ロック手段をアーム部の一方のみに設けるだけで一対のアーム部を保持することができ、コインカウンタの製作コストを抑えることができる。また、ベルトをアーム部の回動動作に伴いベルトの他側が第三の円筒部の外周面に巻付くようにして設けたので、コイントレイの水平を保ちながら、アーム部を基台およびコイントレイに対して回動させることができる。さらに、ベルトの他側を緊張させてコイントレイの水平を保つよう構成したので、コイントレイが上方（コイントレイを立設させた状態における上方）を下に向けて回動してしまい、各々のコイン収納部に整列して収納されたコインをコイントレイの上方に崩してしまうようなことを防止することができる。
【００３１】
また、本発明のうち請求項４に記載の発明によれば、基台に紙幣を収納する紙幣収納部を設けたので、コイントレイにコインを収納するだけでなく、基台に紙幣を収納することができる。
【００３２】
また、本発明のうち請求項５に記載の発明によれば、計数表示手段は、表示部をコイン積載方向に沿って３列に区分して、そのうち２列の表示部の各々に、コイン２枚に相当する間隔の目盛り線とコイン３枚に相当する間隔の目盛り線とを交互に設け、かつ、一方の表示部の各目盛り線の上方左側にコイン枚数を表示すると共に上方右側にコイン１枚に相当する太線部を表示して、また、他方の列の表示部の各目盛り線の上方左側にコイン１枚に相当する太線部を表示すると共に上方右側にコイン枚数を表示して、該隣接する表示部をコイン１枚分の段差を有するように並列して形成し、さらに、残りの一列の表示部に所定枚数のコインの間隔毎に太線で表示した目盛り線を形成し、該目盛り線の上方にコイン枚数よりも大きく合計金額を表示したので、視認性の高い表示をすることができ、計数の誤認識を防止すると共に、作業者の負担を軽減することができる。
【図面の簡単な説明】
【図１】本実施の形態のコイントレイの斜視図で、特に、コイントレイを立設した状態を示す図である。
【図２】本実施の形態のコイントレイの斜視図で、特に、基台とコイントレイとを重ねた状態を示す図である。
【図３】本実施の形態のコイントレイの背面図で、基台とコイントレイとを重ねた状態の一部を断面で示した図である
【図４】本実施の形態のコイントレイの平面図で、基台とコイントレイとを重ねた状態を示す図である。
【図５】本実施の形態のコイントレイの右側面図で、特に、仮想線でアーム部の回動動作を示した図である。
【図６】本実施の形態のコイントレイの左側面図で、特に、コイントレイを立設した状態におけるロック手段を示した図である。
【図７】本実施の形態のコイントレイの左側面図で、特に、アーム部を回動している状態におけるロック手段を示した図である。
【図８】本実施の形態のコイントレイの左側面図で、特に、基台とコイントレイとを重ねた状態におけるロック手段を示した図である。
【図９】本実施の形態のコイントレイの右側面図で、特に、コイントレイを立設した状態におけるベルトを示した図である。
【図１０】本実施の形態のコイントレイの右側面図で、特に、ベルトでコイントレイの水平を保ちながら、アーム部を回動させている状態を示した図である。
【図１１】本実施の形態のコイントレイの右側面図で、特に、基台とコイントレイとを重ねた状態におけるベルトを示した図である。
【図１２】本実施の形態のコイントレイの計数表示手段としての表示部の説明図で、（ａ）は全体図、（ｂ）はコインを積載した状態を示す図である。
【図１３】従来のコインカウンタの説明図である。
【図１４】従来の計数表示手段としての表示部を示す説明図である。
【図１５】従来のコインカウンタの説明図で、特に、固定的に立設したコイントレイを有したコインカウンタを示す図である。
【符号の説明】
１        コインカウンタ
２        基台
３        コイントレイ
３ａ      第二の円筒部
３ｂ      第四の円筒部
４        アーム部
６ａ      第一の円筒部
７ａ      第三の円筒部
８        係止爪
９        係止溝（第一の係止溝９ａ、９ｂ）
（第二の係止溝９ｃ、９ｄ）
１０      ベルト
１３      コイン収納部
１７      表示部（計数表示手段）
１８      目盛り線
１９      太線部
２０      合計金額
２１      連結シャフト
【図１】
0004370444.tif 000002
【図２】
0004370444.tif 000003
【図３】
0004370444.tif 000004
【図４】
0004370444.tif 000005
【図５】
0004370444.tif 000006
【図６】
0004370444.tif 000007
【図７】
0004370444.tif 000008
【図８】
0004370444.tif 000009
【図９】
0004370444.tif 000010
【図１０】
0004370444.tif 000011
【図１１】
0004370444.tif 000012
【図１２】
0004370444.tif 000013
【図１３】
0004370444.tif 000014
【図１４】
0004370444.tif 000015
【図１５】
0004370444.tif 000016